【手続補正書】
【提出日】平成28年6月3日(2016.6.3)
【手続補正１】
【補正対象書類名】明細書
【補正対象項目名】０００７
【補正方法】変更
【補正の内容】
【０００７】
前記課題を解決するために本発明は、共通の被写体を対象として複数のカメラで所定の撮影処理を実行するカメラシステムであって、前記所定の撮影処理に参加可能な複数のカメラの中から、前記所定の撮影処理で必要とする所定情報を取得可能なカメラを自動的に選択し、この選択されたカメラをマスターカメラ、他のカメラをスレーブカメラに区分し、前記マスターカメラは、前記所定情報を取得し、この取得した前記所定情報を前記スレーブカメラに送信し、前記スレーブカメラは、前記マスターカメラより送信される前記所定情報を受信し、この受信した前記所定情報に基づいて前記所定の撮影処理を実行することを特徴とする。
【手続補正２】
【補正対象書類名】明細書
【補正対象項目名】０００８
【補正方法】変更
【補正の内容】
【０００８】
また、本発明は、共通の被写体を対象として複数のカメラで所定の撮影処理を実行するカメラシステムに用いられるカメラであって、前記所定の撮影処理に参加可能か否かを判断し、参加可能と判断された場合に、前記所定の撮影処理で必要とする所定情報を取得可能か否かを判断し、取得可能であると判断された場合には、自己をマスターカメラとして機能させ、それ以外の場合には、自己をスレーブカメラとして機能させ、前記マスターカメラとして機能する場合には、前記所定情報を取得し、この取得した前記所定情報を前記スレーブカメラに送信し、前記スレーブカメラとして機能する場合には、前記マスターカメラより送信される前記所定情報を受信し、この受信した前記所定情報に基づいて前記所定の撮影処理を実行することを特徴とする。
【手続補正３】
【補正対象書類名】明細書
【補正対象項目名】０００９
【補正方法】変更
【補正の内容】
【０００９】
また、本発明は、共通の被写体を対象として複数のカメラで所定の撮影処理を実行するカメラシステムに用いられるカメラが有するコンピュータに、前記所定の撮影処理に参加可能か否かを判断させ、参加可能と判断された場合に、前記所定の撮影処理で必要とする所定情報を取得可能か否かを判断させ、取得可能であると判断された場合には、自己をマスターカメラとして機能させ、それ以外の場合には、自己をスレーブカメラとして機能させ、前記マスターカメラとして機能する場合には、前記所定情報を取得させ、この取得した前記所定情報を前記スレーブカメラに送信させ、前記スレーブカメラとして機能する場合には、前記マスターカメラより送信される前記所定情報を受信させ、この受信した前記所定情報に基づいて前記所定の撮影処理を実行させることを特徴とする。
【手続補正４】
【補正対象書類名】明細書
【補正対象項目名】００１０
【補正方法】変更
【補正の内容】
【００１０】
また、本発明は、共通の被写体を対象として複数のカメラで所定の撮影処理を実行するカメラシステムによる撮影方法であって、前記所定の撮影処理に参加可能な複数のカメラの中から、前記所定の撮影処理で必要とする所定情報を取得可能なカメラを自動的に選択し、この選択されたカメラをマスターカメラ、他のカメラをスレーブカメラに区分し、前記マスターカメラは、前記所定情報を取得し、この取得した前記所定情報を前記スレーブカメラに送信し、前記スレーブカメラは、前記マスターカメラより送信される前記所定情報を受信し、この受信した前記所定情報に基づいて前記所定の撮影処理を実行することを特徴とする。
【手続補正５】
【補正対象書類名】特許請求の範囲
【補正対象項目名】全文
【補正方法】変更
【補正の内容】
【特許請求の範囲】
【請求項１】
共通の被写体を対象として複数のカメラで所定の撮影処理を実行するカメラシステムであって、
前記所定の撮影処理に参加可能な複数のカメラの中から、前記所定の撮影処理で必要とする所定情報を取得可能なカメラを自動的に選択し、
この選択されたカメラをマスターカメラ、他のカメラをスレーブカメラに区分し、
前記マスターカメラは、
前記所定情報を取得し、
この取得した前記所定情報を前記スレーブカメラに送信し、
前記スレーブカメラは、
前記マスターカメラより送信される前記所定情報を受信し、
この受信した前記所定情報に基づいて前記所定の撮影処理を実行する
ことを特徴とするカメラシステム。
【請求項２】
前記所定の撮影処理に参加可能な複数のカメラの中で、前記所定の撮影処理で必要とする前記所定情報を取得できないカメラを前記スレーブカメラに区分しても、前記所定の撮影処理で必要とする前記所定情報を取得可能なカメラが複数存在する場合には、この複数のカメラのうちの１つを他の選択基準に従って自動的に選択してマスターカメラに区分し、それ以外のカメラをスレーブカメラに区分する
ことを特徴とする請求項１記載のカメラシステム。
【請求項３】
前記所定の撮影処理は、前記共通する被写体を複数のカメラで同時に撮影する撮影処理である
ことを特徴とする請求項１または２に記載のカメラシステム。
【請求項４】
前記所定の撮影処理で必要とする所定情報は、前記共通の被写体の位置を示す位置情報である
ことを特徴とする請求項１記載のカメラシステム。
【請求項５】
前記所定情報は、前記共通の被写体とこれを撮影する前記カメラとの位置関係、撮影方向及び距離のいずれかである
ことを特徴とする請求項１乃至４のいずれかに記載のカメラシステム。
【請求項６】
前記所定情報は、前記共通の被写体を画像データ内で識別するための特徴情報である
ことを特徴とする請求項１乃至４のいずれかに記載のカメラシステム。
【請求項７】
前記マスターカメラは、前記所定情報に基づいて識別情報を生成し、
この生成した識別情報をスレーブカメラに送信し、
前記スレーブカメラは、前記マスターカメラから送信される識別情報を受信し、この受信した識別情報を前記所定の撮影処理により得られた画像データに付加して記録する
ことを特徴とする請求項１乃至６のいずれかに記載のカメラシステム。
【請求項８】
前記スレーブカメラは、前記位置情報に基づき前記共通の被写体に対する撮影の方向を調整されて、前記所定の撮影処理を実行する
ことを特徴とする請求項４に記載のカメラシステム。
【請求項９】
前記スレーブカメラは、
前記位置情報と、自機の位置とに基づき前記共通の被写体までの距離を算出し、
この算出した距離に基づくフォーカス制御して、前記所定の撮影処理を実行する
ことを特徴とする請求項８記載のカメラシステム。
【請求項１０】
前記スレーブカメラは、
前記位置情報により示される位置と自機の位置に基づき前記共通の被写体の方向を算出し、
この算出した方向を撮影時に案内する
こと特徴とする請求項８又は９記載のカメラシステム。
【請求項１１】
前記マスターカメラは、前記所定情報とともに前記所定の撮影処理の実行を指示する指示情報を送信し、
前記スレーブカメラは、前記所定情報とともに前記指示情報を受信し、この指示情報の受信に応答して、前記所定の撮影処理を実行する
ことを特徴とする請求項１乃至１０のいずれか記載のカメラシステム。
【請求項１２】
前記マスターカメラは、
同期した動画撮影中において前記共通の被写体の位置を逐次検出し、
この検出される位置を示す位置情報を逐次送信し、
前記スレーブカメラは、
前記位置情報を逐次受信し、
この受信される位置情報に基づき前記共通の被写体の方向を逐次案内する
こと特徴とする請求項１１記載のカメラシステム。
【請求項１３】
共通の被写体を対象として複数のカメラで所定の撮影処理を実行するカメラシステムに用いられるカメラであって、
前記所定の撮影処理に参加可能か否かを判断し、
参加可能と判断された場合に、前記所定の撮影処理で必要とする所定情報を取得可能か否かを判断し、
取得可能であると判断された場合には、自己をマスターカメラとして機能させ、それ以外の場合には、自己をスレーブカメラとして機能させ、
前記マスターカメラとして機能する場合には、
前記所定情報を取得し、
この取得した前記所定情報を前記スレーブカメラに送信し、
前記スレーブカメラとして機能する場合には、
前記マスターカメラより送信される前記所定情報を受信し、
この受信した前記所定情報に基づいて前記所定の撮影処理を実行する
ことを特徴とするカメラ。
【請求項１４】
前記所定情報を取得可能であると判断された場合であって、前記所定情報を取得可能なカメラが複数存在する場合には、更に、他の選択基準を用いて自己がマスターカメラになるか否かを判断する
ことを特徴とする請求項１３記載のカメラシステム。
【請求項１５】
共通の被写体を対象として複数のカメラで所定の撮影処理を実行するカメラシステムに用いられるカメラが有するコンピュータに、
前記所定の撮影処理に参加可能か否かを判断させ、
参加可能と判断された場合に、前記所定の撮影処理で必要とする所定情報を取得可能か否かを判断させ、
取得可能であると判断された場合には、自己をマスターカメラとして機能させ、それ以外の場合には、自己をスレーブカメラとして機能させ、
前記マスターカメラとして機能する場合には、
前記所定情報を取得させ、
この取得した前記所定情報を前記スレーブカメラに送信させ、
前記スレーブカメラとして機能する場合には、
前記マスターカメラより送信される前記所定情報を受信させ、
この受信した前記所定情報に基づいて前記所定の撮影処理を実行させる
ことを特徴とするプログラム。
【請求項１６】
共通の被写体を対象として複数のカメラで所定の撮影処理を実行するカメラシステムによる撮影方法であって、
前記所定の撮影処理に参加可能な複数のカメラの中から、前記所定の撮影処理で必要とする所定情報を取得可能なカメラを自動的に選択し、
この選択されたカメラをマスターカメラ、他のカメラをスレーブカメラに区分し、
前記マスターカメラは、
前記所定情報を取得し、
この取得した前記所定情報を前記スレーブカメラに送信し、
前記スレーブカメラは、
前記マスターカメラより送信される前記所定情報を受信し、
この受信した前記所定情報に基づいて前記所定の撮影処理を実行する
ことを特徴とする撮影方法。